(57)【要約】  ディスク装置（１−１）は、ディスク装置本体であるシャーシ（２）とアッパーケース（３）と、扉部材（５）と、扉部材移動手段である移動側カム機構（６−１）とを備える。シャーシ（２）は、ディスクが搬出入され、このディスクの搬出入方向に開口部（Ｓ１）が形成されている。扉部材（５）は、開口部（Ｓ１）に対して搬出入方向に移動自在にディスク装置本体に支持されるとともに、開口部（Ｓ１）を開閉する開閉方向に移動自在にシャーシ（２）に支持されている。移動側カム機構（６−１）は、ディスクの搬出動作に連動して、開口部（Ｓ１）を閉塞している扉部材（５）を搬出入方向のうち、搬出方向に移動させ、この開口部（Ｓ１）から離れた扉部材（５）を開閉方向のうち、この開口部（Ｓ１）を開く方向に移動させる。
2007066734.tif 000002
【特許請求の範囲】
【請求項１】
ディスクの搬出入方向に開口部（Ｓ１）が形成され、当該開口部（Ｓ１）を介して当該ディスクが搬出入されるディスク装置本体（２，３）と、
前記開口部（Ｓ１）に対して搬出入方向に移動自在に、かつ当該開口部（Ｓ１）を開閉する開閉方向に移動自在に前記ディスク装置本体（２，３）に支持された扉部材（５）と、
前記ディスクの搬出動作に連動して、前記開口部（Ｓ１）を閉塞している扉部材（５）を前記搬出入方向のうち、搬出方向に移動させ、当該開口部（Ｓ１）から離れた扉部材（５）を前記開閉方向のうち、当該開口部（Ｓ１）を開く方向に移動させる扉部材移動手段（６−１）と、
を備えることを特徴とするディスク装置（１−１）。
【請求項２】
ディスクが搬出入されるディスク装置本体（２，３）と、
ディスク装置本体（２，３）が収納される電子機器に形成された開口部（Ｓ２）に対して搬出入方向に移動自在に、かつ当該開口部（Ｓ２）を開閉する開閉方向に移動自在に前記ディスク装置本体（２，３）に支持された扉部材（５）と、
前記ディスクの搬出動作に連動して、前記開口部（Ｓ２）を閉塞している扉部材（５）を前記搬出入方向のうち、搬入方向に移動させ、当該開口部（Ｓ２）から離れた扉部材（５）を前記開閉方向のうち、当該開口部（Ｓ１）を開く方向に移動させる扉部材移動手段（６−２）と、
を備えることを特徴とするディスク装置（１−２）。
【請求項３】
前記ディスク装置本体（２，３）内に一方向に移動自在に支持され、前記ディスクの搬出入動作に連動して移動する駆動部材（２２）をさらに備え、
前記扉部材移動手段（６−１；６−２）は、少なくとも前記駆動部材（２２）および前記扉部材（５）のそれぞれに別個に形成される移動側カムピン（６１，６２）および移動側カム溝（６３，６４；６５，６６）とからなる移動側カム機構を有し、
前記移動側カムピン（６１，６２）は、前記駆動部材（２２）の移動により前記移動側カム溝（６３，６４；６５，６６）内を往復し、
前記移動側カム溝（６３，６４；６５，６６）は、少なくとも、前記移動側カム溝（６３，６４；６５，６６）の開口面からの深さが他の領域と異なって形成され、前記移動側カムピン（６１，６２）が通過することで、前記開口部（Ｓ１；Ｓ２）に接触している扉部材（５）を前記搬出入方向に移動する段差領域（６３ｂ，６４ｂ；６５ｂ，６５ｂ）と、当該段差領域（６３ｂ，６４ｂ；６５ｂ，６５ｂ）と隣り合い、前記駆動部材（２２）の移動方向に対して傾斜する方向に形成され、前記移動側カムピン（６１，６２）が通過することで、前記開口部（Ｓ１；Ｓ２）から離れている扉部材（５）を前記開閉方向に移動する傾斜領域（６３ｃ，６４ｃ；６５ｃ，６５ｃ）とを有することを特徴とする請求項１または２に記載のディスク装置（１−１；１−２）。
【請求項４】
前記扉部移動手段（６−１；６−２）は、前記扉部材（５）の開閉方向移動時に当該扉部材（５）が前記開口部（Ｓ１；Ｓ２）に向かう方向に移動することを規制する移動規制手段（７）をさらに備えることを特徴とする請求項１〜３のいずれか１つに記載のディスク装置（１−１；１−２）。
【請求項５】
前記扉部材（５）の前記開口部（Ｓ１；Ｓ２）を閉塞する扉部材側接触面（５１ａ）と、当該開口部（Ｓ１；Ｓ２）を閉塞する際に、扉部材側接触面（５１ａ）と対向する開口部側接触面（２８ａ，３２）との間に、前記扉部材側接触面（５１ａ）と前記開口部側接触面（２８ａ，３２）とが接触した際に、一方が他方に入り込み当該開口部（Ｓ１；Ｓ２）を囲む嵌合手段（５７，２８ｄ，３３）が設けられていることを特徴とする請求項１〜４のいずれか１つに記載のディスク装置（１−１；１−２）。
【請求項６】
前記扉部材（５）の前記開口部（Ｓ１；Ｓ２）を閉塞する扉部材側接触面（５１ａ）、あるいは当該開口部（Ｓ１；Ｓ２）を閉塞する際に、扉部材側接触面（５１ａ）と対向する開口部側接触面（２８ａ，３２）のいずれか一方に、当該扉部材側接触面（５１ａ）および当該開口部側接触面（２８ａ，３２）に接触した際に、当該開口部（Ｓ１；Ｓ２）を囲む緩衝部材（１０）が設けられていることを特徴とする請求項１〜４のいずれか１つに記載のディスク装置（１−１；１−２）。
【発明の詳細な説明】
【技術分野】
【０００１】
本発明は、ディスク装置に関し、さらに詳しくは、ディスクの搬出入動作に連動して、開閉する扉部材を備えるディスク装置に関するものである。
【背景技術】
【０００２】
ディスク装置は、ディスクに記録された情報の再生あるいはディスクへの情報の記録の少なくともいずれか一方を行うために、ディスク装置本体にこのディスクを搬出入する必要がある。ディスクの搬出入を行うために、一般的なディスク装置では、ディスクを載置するディスク載置位置からディスク装置によりこの載置されたディスクの再生記録を行うディスク再生位置までを移動するトレイが備えられている。従って、ディスクの搬入は、ディスク載置位置に位置するトレイにディスクが載置され、このディスクが載置されたトレイをディスク再生位置まで移動させることで行われる。そして、ディスクの搬出は、ディスクを載置したトレイをディスク再生位置からディスク載置位置まで移動させることで行われる。【０００３】
ここで、従来のディスク装置においては、ディスク装置本体に、このディスクの搬出入を行うため、搬出入方向に開口部が形成されている。従って、このディスク装置本体の外部からゴミや埃などの粉塵が入り込む虞があった。このような粉塵は、例えばピックアップによるディスクに記録された情報の読み込みあるいはディスクへの情報の書き込みに悪影響を与え、ピックアップによる読込不良や書込不良が発生する虞があった。そこで、従来のディスク装置においては、特許文献１に示すように、ディスクの搬出入動作に連動して開閉する扉部材が備えられている。【０００４】
この特許文献１に示すディスク装置おいては、トレイによるディスクの搬出入動作およびトラバースメカの昇降動作に連動して、扉部材がディスク装置の厚み方向（上下方向）に往復運動し、ディスク装置本体の開口部の開閉を行うものである。このディスク装置は、トレイがディスク再生位置に位置する時に扉部材が閉まっている。従って、扉部材が開くのは、トレイの搬出入時のみであるため、ディスク装置本体の開口部から粉塵が入り込むことを抑制することができる。【０００５】
【特許文献１】特開平１０−２０８３４７号公報
【発明の開示】
【発明が解決しようとする課題】
【０００６】
しかしながら、上記特許文献１に示すようなディスク装置では、扉部材が開口部に対して、平行に移動するため、この扉部材が開口部と対向する位置に位置しても、扉部材と開口部との間に隙間が形成される。また、従来のディスク装置には、扉部材が回転自在に支持されており、回転方向に揺動することで、ディスク装置本体の開口部の開閉を行うものである。この場合も、扉部材が揺動する際にこの扉部材と開口部とが接触するのを防止するために、扉部材と開口部との間に隙間が形成される。従って、扉部材と開口部との間に隙間が形成されるため、防塵が不十分であるという問題があった。【０００７】
この発明は、上述した課題をその一例として解決するものであって、確実に防塵を行うことができるディスク装置を提供することを目標とする。
【課題を解決するための手段】
【０００８】
本発明の請求項１に記載のディスク装置は、ディスクの搬出入方向に開口部が形成され、当該開口部を介して当該ディスクが搬出入されるディスク装置本体と、前記開口部に対して搬出入方向に移動自在に、かつ当該開口部を開閉する開閉方向に移動自在に前記ディスク装置本体に支持された扉部材と、前記ディスクの搬出動作に連動して、前記開口部を閉塞している扉部材を前記搬出入方向のうち、搬出方向に移動させ、当該開口部から離れた扉部材を前記開閉方向のうち、当該開口部を開く方向に移動させる扉部材移動手段と、を備えることを特徴とする。【０００９】
また、本発明の請求項２に記載のディスク装置は、ディスクが搬出入されるディスク装置本体と、ディスク装置本体が収納される電子機器に形成された開口部に対して搬出入方向に移動自在に、かつ当該開口部を開閉する開閉方向に移動自在に前記ディスク装置本体に支持された扉部材と、前記ディスクの搬出動作に連動して、前記開口部を閉塞している扉部材を前記搬出入方向のうち、搬入方向に移動させ、当該開口部から離れた扉部材を前記開閉方向のうち、当該開口部を開く方向に移動させる扉部材移動手段と、を備えることを特徴とする。
【発明の効果】
【００１０】
本発明にかかるディスク装置は、確実に防塵を行うことができるという効果を奏する。
【図面の簡単な説明】
【００１１】
【図１−１】図１−１は、この実施例１にかかるディスク装置の構成例を示す図（平面図）である。
【図１−２】図１−２は、この実施例１にかかるディスク装置の構成例を示す図（正面図）である。
【図１−３】図１−３は、この実施例１にかかるディスク装置の構成例を示す図（側面図）である。
【図２−１】図２−１は、シャーシおよびアッパーケースの構成例を示す図（平面図）である。
【図２−２】図２−２は、シャーシおよびアッパーケースの構成例を示す図（正面図）である。
【図３−１】図３−１は、トレイの構成例を示す図（平面図）である。
【図３−２】図３−２は、トレイの構成例を示す図（正面図）である。
【図４−１】図４−１は、扉部材の構成例を示す図（平面図）である。
【図４−２】図４−２は、扉部材の構成例を示す図（正面図）である。
【図４−３】図４−３は、扉部材の構成例を示す図（側面図）である。
【図４−４】図４−４は、図４−２のＡ−Ａ断面図である。
【図５−１】図５−１は、この実施例１にかかるディスク装置の動作説明図である。
【図５−２】図５−２は、この実施例１にかかるディスク装置の動作説明図である。
【図６−１】図６−１は、この実施例１にかかるディスク装置の他の構成例を示す図である。
【図６−２】図６−２は、この実施例１にかかるディスク装置の他の構成例を示す図である。
【図７−１】図７−１は、この実施例２にかかるディスク装置の構成例を示す図（正面図）である。
【図７−２】図７−２は、この実施例２にかかるディスク装置の構成例を示す図（側面図）である。
【図８−１】図８−１は、扉部材の構成例を示す図（平面図）である。
【図８−２】図８−２は、扉部材の構成例を示す図（正面図）である。
【図８−３】図８−３は、扉部材の構成例を示す図（側面図）である。
【図８−４】図８−４は、図８−２のＣ−Ｃ断面図である。
【図９−１】図９−１は、この実施例２にかかるディスク装置の動作説明図である。
【図９−２】図９−２は、この実施例２にかかるディスク装置の動作説明図である。
【符号の説明】
【００１２】
１−１，１−２  ディスク装置
２  シャーシ
２１  搭載空間部
２１ａ  摺動溝
２１ｂ，ｃ  軸受
２２  メインカム
２２ａ  摺動ピン
２３  トラバースメカ
２４  従動部材
２４ａ，ｂ  支持軸
２５  昇降カム機構
２５ａ，ｂ  昇降カムピン
２６ａ〜ｄ  固定穴
２７ａ，ｂ  回転軸
２７ｃ，ｄ  係止突起
２８ａ  シャーシ側接触面（開口部側接触面）
２８ｂ，ｃ  摺動突起
２８ｄ  凸部
３  アッパーケース
３１ａ〜ｄ  固定穴
３２  ケース側接触面（開口部側接触面）
３３  凹部
４  トレイ
４１  載置部
４１ａ，ｂ  載置用凹部
４１ｃ  位置決めピン
４２  スライド部材
５  扉部材
５１  表面部
５１ａ  裏面（扉部材側接触面）
５１ｂ  表面
５２，５３  アーム部
５４ａ，５４ｂ  摺動軸受穴
５５ａ，５５ｂ  係止突起
５６ａ，５６ｂ  摺動溝
５７  凸部
５８  つば部
６−１，６−２  移動側カム機構
６１，６２  移動側カムピン
６３〜６６  移動側カム溝
７  規制側カム機構
７１，７２  規制側カムピン
７３〜７６  規制側カム溝
９ａ，９ｂ  弾性部材
１０  緩衝部材
Ｓ１，Ｓ２  開口部
【発明を実施するための最良の形態】
【００１３】
以下、この発明につき図面を参照しつつ詳細に説明する。なお、下記実施の形態および実施例によりこの発明が限定されるものではない。また、下記実施の形態および実施例における構成要素には、当業者が容易に想定できるもの或いは実質的に同一のものが含まれる。なお、下記の実施例では、カートリッジに収納されたディスクおよびカートリッジに収納されていないディスクのいずれかに記録された情報の再生あるいはいずれかへの情報の記録を行うことができるディスク装置について説明するが、これに限定されるものではない。例えば、カートリッジに収納されたディスクのみあるいはカートリッジに収納されていないディスクのみに記録された情報の再生あるいはディスクへの情報の記録を行うことができるディスク装置であっても良い。【００１４】
〔実施の形態１〕
この実施の形態１に係るディスク装置は、ディスク装置本体と、扉部材と、扉部材移動手段とを備える。ディスク装置本体は、ディスクが搬出入されるものであり、このディスクの搬出入方向に開口部が形成されている。扉部材は、開口部に対して搬出入方向に移動自在にディスク装置本体に支持されるとともに、開口部を開閉する開閉方向に移動自在にディスク装置本体に支持されている。扉部材移動手段は、ディスクの搬出動作に連動して、開口部を閉塞している扉部材を搬出入方向のうち、搬出方向に移動させ、この開口部から離れた扉部材を開閉方向のうち、この開口部を開く方向に移動させるものである。【００１５】
この実施の形態１に係るディスク装置では、上記構成を特徴とすることで、ディスクの搬出時、例えばトレイによるディスクの搬出時に、扉部材は、閉塞している開口部から搬出方向に移動することで離れ、開方向に移動することで、開口部を開放する。一方、ディスクの搬入時、例えばトレイによるディスクの搬入時に、扉部材は、閉方向に移動し、搬入方向に移動することで、開口部を閉塞する。従って、扉部材は、ディスクの搬出入時以外は、開口部を閉塞した状態を維持する。これにより、ディスク装置内部の防塵を確実に行うことができる。【００１６】
〔実施の形態２〕
この実施の形態２に係るディスク装置は、ディスク装置本体と、扉部材と、扉部材移動手段とを備える。ディスク装置本体は、ディスクが搬出入されるものである。扉部材は、ディスク装置本体が収納される電子機器に形成された開口部に対して搬出入方向に移動自在にディスク装置本体に支持されるとともに、開口部を開閉する開閉方向に移動自在にディスク装置本体に支持されている。扉部材移動手段は、ディスクの搬出動作に連動して、開口部を閉塞している扉部材を搬出入方向のうち、搬入方向に移動させ、この開口部から離れた扉部材を開閉方向のうちこの開口部を開く方向に移動させるものである。【００１７】
この実施の形態２に係るディスク装置では、上記構成を特徴とすることで、ディスクの搬出時、例えばトレイによるディスクの搬出時に、扉部材は、接触している電子機器に形成された開口部から搬入方向に移動することで離れ、開方向に移動することで、開口部を開放する。一方、ディスクの搬入時、例えばトレイによるディスクの搬入時に、扉部材は、閉方向に移動し、搬出方向に移動することで、この電子機器に形成された開口部を閉塞する。従って、扉部材は、ディスクの搬出入時以外は、開口部を閉塞した状態を維持する。これにより、ディスク装置内部のみならず、このディスク装置を収納する電子機器内部の防塵を確実に行うことができる。【００１８】
〔実施の形態３〕
この実施の形態３に係るディスク装置は、上記実施の形態１または２に係るディスク装置において、ディスク装置本体内に一方向に移動自在に支持され、このディスクの搬出入動作に連動して移動する駆動部材をさらに備える。また、扉部材移動手段は、駆動部材および扉部材のそれぞれに別個に形成される移動側カムピンおよび移動側カム溝とからなる。移動側カムピンは、駆動部材の移動により移動側カム溝内を往復するものである。移動側カム溝は、少なくとも段差領域と、傾斜領域とを有する。段差領域は、移動側カム溝の開口面からの深さが他の領域と異なって形成されており、移動側カムピンが通過することで、開口部に接触している扉部材を搬出入方向に移動するものである。傾斜領域は、この段差領域と隣り合い、駆動部材の移動方向に対して傾斜する方向に形成されており、この移動側カムピンが通過することで、開口部から離れている扉部材を開閉方向に移動するものである。【００１９】
この実施の形態３に係るディスク装置では、上記構成を特徴とすることで、駆動部材、例えば従動部材との間に昇降カム機構を有し、この従動部材に載置されているトラバースメカの昇降を行うメインカムの一方向への移動により、扉部移動手段である移動側カム機構は、扉部材を２方向、つまり扉部材の開口部に対する搬出入方向および開口部を開閉する開閉方向へ移動を行う。従って、簡単な構成で、ディスク装置本体あるいは電子機器内部の防塵を確実に行うことができる。また、ディスク装置に通常備えられている駆動部材と、扉部材との間で移動側カム機構を構成するので、別個新たに扉部材を２方向に移動させるための部材をディスク装置本体に設ける必要がない。これにより、ディスク装置の小型化を図ることができる。【００２０】
〔実施の形態４〕
この実施の形態４に係るディスク装置は、上記実施の形態１〜３のいずれか１つに係るディスク装置において、扉部移動手段は、扉部材の開閉方向移動時にこの扉部材が前記開口部に向かう方向に移動することを規制する移動規制手段をさらに備える。【００２１】
この実施の形態４に係るディスク装置では、上記構成を特徴とすることで、移動規制手段により、扉部材の開閉方向移動時に、扉部材が開口部に対して離れた状態を維持したまま、この扉部材の開閉方向に移動することができる。従って、この扉部材の開閉方向移動時に、扉部材が開口部やディスク装置本体の他の部材と接触することを抑制することができる。【００２２】
〔実施の形態５〕
この実施の形態５に係るディスク装置は、上記実施の形態１〜４のいずれか１つに係るディスク装置において、扉部材の開口部を閉塞する扉部材側接触面と、この開口部を扉部材により閉塞する際に、扉部材側接触面と対向する開口部側接触面との間に嵌合手段を設ける。この嵌合手段は、扉部材が開口部を閉塞した際、すなわち扉部材側接触面と開口部側接触面とが接触した際に、一方が他方に入り込み、この開口部を囲むものである。【００２３】
この実施の形態５に係るディスク装置では、上記構成を特徴とすることで、扉部材が開口部を閉塞した際に、嵌合手段が開口部を囲むように、一方が他方に入り込むので、扉部材と開口部との間から粉塵が入り込むことをさらに抑制することができる。従って、ディスク装置本体内部あるいはこのディスク装置本体を収納する電子機器内部の防塵をさらに、確実に行うことができる。【００２４】
〔実施の形態６〕
この実施の形態６に係るディスク装置は、上記実施の形態１〜４のいずれか１つに係るディスク装置において、扉部材の前記開口部を閉塞する扉部材側接触面、あるいはこの開口部を扉部材により閉塞する際に、扉部材側接触面と対向する開口部側接触面のいずれか一方に緩衝部材を設ける。この緩衝部材は、この扉部材側接触面およびこの開口部側接触面に接触した際に、この開口部を囲むものである。【００２５】
この実施の形態６に係るディスク装置では、上記構成を特徴とすることで、扉部材が開口部を閉塞しようとする際に、この扉部材および開口部に緩衝部材が接触し、この緩衝部材が開口部を囲むので、扉部材と開口部との間から粉塵が入り込むことをさらに抑制することができる。従って、ディスク装置本体内部あるいはこのディスク装置本体を収納する電子機器内部の防塵をさらに、確実に行うことができる。
【実施例１】
【００２６】
図１−１〜図１−３は、この実施例１にかかるディスク装置の要部断面図である。図２−１および図２−２は、シャーシおよびアッパーケースの構成例を示す図である。図３−１および図３−２は、トレイの構成例を示す図である。図４−１〜図４−４は、扉部材の構成例を示す図である。図５−１および図５−２は、この実施例１にかかるディスク装置の動作説明図である。図６−１および図６−２は、この実施例１にかかるディスク装置の他の構成例を示す図である。【００２７】
この実施例１では、カートリッジに格納されているディスクおよびカートリッジに格納されていないディスク（以下、単に「ディスク」と称する）のいずれをも搬出入することができるトレイを備え、搬入されたディスクに記録された情報の再生および当該ディスクへの情報の記録を行うことができるディスク装置について説明する。なお、この発明はこれに限定されるものではなく、ディスクを搬出入することができ、ディスクの搬出入動作に連動して、開閉する扉部材を備えるディスク装置であれば良い。なお、ここでいうディスクは、ＤＶＤ（Digital  Versatile  Disk）、ＣＤ（Compact  Disk）、ＢＤ（Blue-ray  Disk）、ＨＤＤＶＤ（High  Definition  Digital  Versatile  Disk）などの光ディスクを含むものである。また、ディスクの搬入とは、トレイをディスク載置位置からディスク再生位置まで移動させることをいう。一方、ディスクの搬出とは、トレイをディスク再生位置からディスク載置位置まで移動させることをいう。【００２８】
図１−１〜図１−３に示すように、このディスク装置１−１は、ディスク装置本体を構成するシャーシ２と、アッパーケース３と、トレイ４と、扉部材５と、移動側カム機構６−１と、規制側カム機構７とを備えるものである。このトレイ４は、シャーシ２とアッパーケース３との間に、図示しないディスクを載置するディスク載置位置からこの載置されたディスクの再生記録を行うディスク再生位置までを移動自在に支持され、収納されている。【００２９】
シャーシ２は、図２−１および図２−２に示すように、内部に形成された搭載空間部２１に、ディスク再生位置に位置した時のトレイ４が収納されるものである。また、このシャーシ２には、ディスク装置１−１を構成する種々の部品が搭載される。この搭載される部品としては、トレイ４とギヤを介して連結され、このトレイ４をディスク載置位置からディスク再生位置までを移動させる図示しない駆動モータがある。また、この図示しない駆動モータにギヤを介して連結され、図示しないディスクの搬出入動作、すなわちトレイ４のディスク載置位置からディスク再生位置までの移動に連動して、一方向、ここではディスク装置１−１の幅方向、すなわち幅方向（図２−１の左右方向）に移動する駆動部材であるメインカム２２がある。このメインカム２２は、シャーシ２に形成された摺動溝２１ａとメインカム２２に形成された摺動ピン２２ａとにより、シャーシ２に対して、幅方向に移動自在に支持されている。【００３０】
また、トラバースメカ２３がある（図２−１の１点鎖線）。このトラバースメカ２３には、例えばターンテーブルなどのディスクをクランプするディスククランプ手段や、例えばディスク回転用モータなどのターンテーブルにクランプされたこのディスクを回転させるディスク回転手段や、例えばピックアップなどのこのディスクに記録された情報の読み込みおよびこれらのディスクへの情報の書き込みを行う再生記録手段などが搭載されている。なお、このトラバースメカ２３は、メインカム２２の幅方向の移動に連動して昇降する従動部材２４に支持されている。この従動部材２４は、シャーシ２に形成された軸受２１ｂ，ｃが従動部材２４に形成された支持軸２４ａ，ｂを回転自在に支持する。つまり、このトラバースメカ２３は、トレイ４によるディスクの搬出入動作に連動して幅方向に移動するメインカム２２の移動に連動して昇降するものである。【００３１】
ここで、このメインカム２２によるトラバースメカ２３の昇降は、このメインカム２２と従動部材２４との間に配置された昇降カム機構２５により行われる。この昇降カム機構２５は、メインカム２２に形成された図示しない昇降カム溝と、従動部材２４に形成された昇降カムピン２５ａ，ｂとにより構成されている。なお、図示しないトレイ移動手段、ディスク回転手段、再生記録手段などの制御は、図示しない制御装置により行われる。【００３２】
また、シャーシ２は、アッパーケース３を固定する複数の固定穴２６ａ〜ｄ（図２−１では、４箇所）が形成されている。また、シャーシ２の両側面には、その搬出方向端部近傍に扉部材５の後述する摺動軸受穴５４ａ，ｂにそれぞれ挿入され、支持される回転軸２７ａ，２７ｂが形成されている。この回転軸２７ａ，ｂは、シャーシ２に対して、ディスク装置１−１の厚さ方向、すなわち厚さ方向（図２−２の上下方向）の中央部よりも上側に形成されている。また、この回転軸２７ａ，ｂには、後述する弾性部材９ａ，ｂの一方の端部が係止される係止突起２７ｃ，ｄが突出して形成されている。なお、このシャーシ２の搬出方向端部のほぼ中央部には、コの字状にシャーシ側接触面２８ａが形成されている。また、このシャーシ２の搬出方向端部には、摺動突起２８ｂ，ｃが形成されている。【００３３】
アッパーケース３は、シャーシ２に被されるものであり、搭載空間部２１を覆うものである（図２−１および図２−２の２点鎖線）。アッパーケース３は、シャーシ２の複数の固定穴２６ａ〜ｄにそれぞれ対向する固定穴３１ａ〜ｄが形成されている。また、このアッパーケース３の搬出方向端部には、ケース側接触面３２が形成されている。開口部側接触面は、このケース側接触面３２とシャーシ側接触面２８ａとにより構成されている。このシャーシ２とアッパーケース３とにより構成されるディスク装置本体には、その搬出方向端部に開口部Ｓ１が形成されている。この開口部Ｓ１は、この開口部側接触面、つまりケース側接触面３２およびシャーシ側接触面２８ａにより形成されている。ここで、シャーシ２とアッパーケース３とから構成されるディスク装置本体は、ディスクが搬出入されるものであり、トレイ４によるディスクの搬出入動作は、この開口部Ｓ１を介して行われる。【００３４】
トレイ４は、ディスク載置位置（図示省略）からディスク再生位置（図１−１参照）までを移動するものである。このトレイ４は、シャーシ２に形成された図示しない複数のガイド部材により、ディスク載置位置からディスク再生位置までを移動自在に支持されている。なお、このトレイ４の移動は、上記図示しないトレイ移動手段により行われる。つまり、図示しないトレイ移動手段は、ディスクをディスク装置１−１に搬入する際に、このトレイ４をディスク載置位置からディスク再生位置まで移動させ、ディスクをディスク装置１−１から搬出する際に、このトレイ４をディスク再生位置からディスク載置位置まで移動するものである。【００３５】
トレイ４は、図３−１および図３−２に示すように、ほぼ中央部に、載置部４１が形成されている。この載置部４１は、ディスクが収納された図示しないカートリッジを載置することができる面積を有している。また、この載置部４１には、カートリッジに収納されていないディスクを載置するための載置用凹部４１ａ，４１ｂが形成されている。なお、載置用凹部４１ａには、直径が大きいディスク（１２ｃｍのディスク）を載置することができ、載置用凹部４１ｂには、直径が小さいディスク（例えば、８ｃｍのディスク）を載置することができる。なお、４１ｃは、載置部３１に図示しないカートリッジが載置された際に、この図示しないカートリッジの位置決め穴に挿入される位置決めピンである。なお、４２は、図示しないカートリッジのシャッターを開き、カートリッジに収納されたディスクをカートリッジの外部に露出させるスライド部材である。このスライド部材４２は、トレイ４に対して、トレイ４によるディスクの搬出入動作に連動して、トレイ４の搬出入方向と直交する方向、ここでは、幅方向に摺動するものである。【００３６】
扉部材５は、図４−１〜図４−４に示すように、上記ディスク装置本体、すなわちシャーシ２およびアッパーケース３に形成された開口部Ｓ１の開閉、つまり開口部Ｓ１の開放と開口部Ｓ１の閉塞を行うものである。この扉部材５は、表面部５１と、アーム部５２，５３とにより構成されている。表面部５１は、長方形状であり、その長手方向、すなわち幅方向の両端部にアーム部材５２，５３が搬入方向に突出して形成されている。この表面部５１の裏面５１ａ、すなわち扉部材５の扉部材側接触面には、移動側カム機構６−１の移動側カム溝６３，６４が形成されている。なお、表面５１ｂは、扉部材５が移動自在に支持されている開閉方向と平行、ここでは回転軸２７ａ，２７ｂを中心とする円周上に沿って形成されている。【００３７】
また、この表面部５１の裏面５１ａには、扉部材５がシャーシ２に取り付けられた際に、このシャーシ２の摺動突起２８ｂ，ｃにそれぞれ対向する摺動溝５６ａ，ｂが形成されている。この摺動溝５６ａ，ｂは、表面部５１の裏面５１ａから表面５１ｂに向かって形成され、厚さ方向に延在して形成されている。ここで、摺動突起２８ｂ、ｃの高さ、すなわち搬出方向の長さは、シャーシ２に取り付けられた扉部材５が移動しても、摺動溝５６ａ，ｂから抜けない長さに設定されている。なお、この摺動突起２８ｂ，ｃの幅方向における幅は、摺動溝５６ａ，ｂの幅方向における幅よりも若干小さい程度に設定されている。従って、扉部材５は、この扉部材５がシャーシ２に取り付けられた際に、摺動突起２８ｂ，ｃが摺動溝５６ａ，ｂにそれぞれ挿入されると、シャーシ２（ディスク装置本体）に対する幅方向への移動が規制される。これにより、扉部材５の開閉動作を安定して行うことができる。また、摺動突起２８ｂ，ｃの搬出入方向の長さを移動側カム機構６−１の後述する移動側カムピン６１，６２の搬出入方向の長さとほぼ同一に設定することが好ましい。従って、摺動溝５６ａ，ｂの深さを後述する移動側カム機構６−１の後述する移動側カム溝６３，６４の深さとほぼ同一とすることができる。これにより、この扉部材５の搬出入方向における長さが長くなることを抑制することができる。【００３８】
各アーム部５２、５３の搬入方向側端部近傍には、摺動軸受穴５４ａ，ｂがそれぞれ形成されている。この摺動軸受穴５４ａ，ｂは、その厚さ方向の幅が、シャーシ２の回転軸２７ａ，ｂの直径よりも若干大きく設定されており、その搬出入方向の長さがシャーシ２の回転軸２７ａ，ｂの直径よりも長く（例えば回転軸２７ａ，ｂの直径の１．５倍程度）に設定されている。つまり、扉部材５の摺動軸受穴５４ａ，ｂに、シャーシ２の回転軸２７ａ，ｂがそれぞれ挿入され、この扉部材５がシャーシ２に取り付けられると、この扉部材５は、開口部Ｓ１に対して搬出入方向、ここでは、摺動軸受穴５４ａ，ｂの搬出入方向の長さから回転軸２７ａ，ｂの直径を引いた距離だけ移動自在に支持される。また、扉部材５は、開口部Ｓ１を開閉する開閉方向、ここではシャーシ２の回転軸２７ａ，ｂを中心とする回転方向に移動自在に支持されている。また、このアーム部材５２，５３には、後述する弾性部材９ａ、９ｂの他方の端部が係止される係止突起５５a，ｂが幅方向に突出して形成されている。【００３９】
移動側カム機構６−１は、扉部材移動手段であり、移動側カムピン６１，６２と、移動側カム溝６３，６４とにより構成されている（図１−２参照）。移動側カムピン６１，６２と、移動側カム溝６３，６４とは、駆動部材であるメインカム２２と扉部材５のそれぞれに個別に形成されるものであり、ここでは移動側カムピン６１，６２がメインカム２２に、移動側カム溝６３，６４が扉部材５にそれぞれ形成されている。移動側カムピン６１，６２は、図２−１に示すように、メインカム２２の表面部５１の裏面５１ａと対向する面に、この扉部材５がシャーシ２に取り付けられた際に、移動側カム溝６３，６４と対向し、挿入されるように、搬出方向に突出して形成されている。つまり、移動側カムピン６１，６２は、駆動部材であるメインカム２２の幅方向の移動により、移動側カム溝６３，６４内をそれぞれ往復するものである。【００４０】
また、移動側カム溝６３，６４は、図４−４に示すように、表面部５１の裏面５１ａから表面５１ｂに向かって形成されている。この移動側カム溝６３，６４は、一方の端部から他方の端部に向かって（図４−２の右側から左側）、閉時水平領域６３ａ，６４ａ、段差領域６３ｂ，６４ｂ、傾斜領域６３ｃ，６４ｃ、開時水平領域６３ｄ，６４ｄの順番でそれぞれ隣り合って形成されている。閉時水平領域６３ａ，６４ａは、移動側カム溝６３，６４の一方の端部に位置し、幅方向と平行に形成されている。段差領域６３ｂ，６４ｂは、幅方向と平行に形成されている。この段差領域６３ｂ，６４ｂは、表面部５１の裏面５１ｂからの深さＤ２が、開時水平領域６３ｄ，６４ｄ、傾斜領域６３ｃ，６４ｃおよび開時水平領域６３ｄ，６４ｄにおける表面部５１の裏面５１ｂからの深さＤ１よりも浅く設定されている。つまり、この段差領域６３ｂ，６４ｂは、移動側カム溝６３，６４の開口面、すなわち表面部５１の裏面５１ｂからの深さが他の領域と異なって形成されている。傾斜領域６３ｃ，６４ｃは、駆動部材であるメインカム２２の移動方向、すなわち幅方向に対して傾斜する方向に形成されている。開時水平領域６３ｄ，６４ｄは、移動側カム溝６３，６４の他方の端部に位置し、幅方向と平行に形成されている。【００４１】
規制側カム機構７は、扉部材５の開閉方向移動時に、この扉部材５が開口部Ｓ１に向かう方向に移動することを規制する移動規制手段であり、規制側カムピン７１，７２と、規制側カム溝７３，７４とにより構成されている（図１−３参照）。規制側カムピン７１，７２と、移動側カム溝７３，７４とは、シャーシ２（ディスク装置本体）と扉部材５のそれぞれに個別に形成されるものであり、ここでは規制側カムピン７１，７２がシャーシ２に、規制側カム溝７３，７４が扉部材５にそれぞれ形成されている。規制側カムピン７１，７２は、図２−１に示すように、シャーシ２の扉部材５のアーム部５２，５３と対向する両側面に、この扉部材５がシャーシ２に取り付けられた際に、規制側カム溝７３，７４と対向し、挿入されるように、幅方向に突出して形成されている。この規制側カムピン７１，７２は、移動側カム機構６−１による扉部材５の移動により、規制側カム溝７３，７４内をそれぞれ往復するものである。【００４２】
また、規制側カム溝７３，７４は、図４−３に示すように、アーム部５２，５３の両面を貫通してそれぞれ形成されている。この規制側カム溝７３，７４は、搬出入方向領域７３ａ，７４ａおよび開閉方向領域７３ｂ，７４ｂでそれぞれ構成されている。搬出入方向領域７３ａ，７４ａは、搬出入方向と平行に形成されている。この搬出入方向領域７３ａ，７４ａは、開閉方向領域７３ｂ，７４ｂと隣り合い、この搬出入方向領域７３ａ，７４ａの一方の端部、ここでは搬入方向の端部（同図の右側）と、開閉方向領域７３ｂ，７４ｂの一方の端部、ここでは開方向の端部（同図の下側）とが連通している。開閉方向領域７３ｂ，７４ｂは、扉部材５が移動自在に支持されている開閉方向と平行、ここでは回転軸２７ａ，２７ｂを中心とする円周上に形成されている。【００４３】
次に、ディスク装置１−１の組み立てについて説明する。まず、トレイ４をシャーシ２の図示しない複数のガイド部材により搬出入方向に移動自在に支持する。次に、このトレイ４がシャーシ２に支持された状態で、シャーシ２の固定穴２６ａ〜ｄにアッパーケース３の固定穴３１ａ〜ｄをそれぞれ合わせ、この固定穴２６ａ〜ｄに固定手段、例えばネジ８ａ〜ｄをこの固定穴３１ａ〜ｄを介して螺合することにより固定する。次に、トレイ４がディスク再生位置に位置する状態で、扉部材５の摺動軸受穴５４ａ，５４ｂにシャーシ２の回転軸２７ａ，２７ｂを挿入することで、この扉部材５をシャーシ２（ディスク装置本体）に取り付ける。【００４４】
次に、シャーシ２の係止突起２７ｃ，ｄと扉部材５の係止突起５５ａ，ｂとの間に、扉部材付勢手段である弾性部材９ａ，ｂをそれぞれ係止する。なお、この弾性部材９ａ，ｂは、扉部材５の開口部Ｓに対する位置に拘わらず、この扉部材５を開口部Ｓ１に向かう方向に付勢するものである。つまり、扉部材５は、常に開口部Ｓ１に向かう方向の付勢力が作用している。【００４５】
ディスク装置１−１が組み立てられた状態では、図１−１〜図１−３に示すように、移動側カム機構６−１の移動側カムピン６１，６２が移動側カム溝６３，６４に、この移動側カム溝６３，６４に沿って摺動可能にそれぞれ挿入される。また、規制側カム機構７の規制側カムピン７１，７２が規制側カム溝７３，７４に、この規制側カム溝７３，７４に沿って摺動可能にそれぞれ挿入される。さらに、摺動突起２８ｂ，ｃが摺動溝５６ａ，ｂに、この摺動溝５６ａ，ｂに沿って摺動可能にそれぞれ挿入される。【００４６】
次に、この実施例１にかかるディスク装置１−１の動作について説明する。まず、トレイ４によりディスクを搬出する場合について説明する。トレイ４によるディスクの搬出の際には、まず、図１−１〜図１−３に示すように、トレイ４がディスク再生位置に位置する。このとき、メインカム２２は、幅方向のうち他方向、すなわち同図矢印Ｂ方向と反対方向の端部に位置する（図２−２参照）。従って、移動側カム機構６−１は、図１−３に示すように、移動側カムピン６１，６２が移動側カム溝６３，６４の閉時水平領域６３ａ，６４ａにそれぞれ位置する。この閉時水平領域６３ａ，６４ａの深さＤ１は、段差領域６３ｂ，６４ｂの深さＤ２よりも深いため、扉部材５は開口部Ｓ１を閉塞する。つまり、扉部材５の扉部材側接触面である裏面５１ａと、開口部側接触面、すなわちシャーシ側接触面２８ａおよびケース側接触面３２とが接触した状態となる。このとき、規制側カム機構７は、規制側カムピン７１，７２が規制側カム溝７３，７４の搬出入方向領域７３ａ，７４ａにそれぞれ位置する。つまり、扉部材５は、規制側カム機構７により、開口部Ｓ１に向かう方向に移動することが規制されていない。【００４７】
次に、トレイ４がディスク再生位置に位置した状態から、図示しないトレイ移動手段を駆動する。これにより、トレイ４は、ディスク再生位置から搬出方向に向かって移動を開始する。このとき、メインカム２２は、トレイ移動手段により、幅方向のうち一方向、すなわち同図矢印Ｂ方向に移動を開始する。また、トラバースメカ２３は、メインカム２２が幅方向のうち一方向に移動を開始することで上昇を開始する。このとき、移動側カム機構６−１は、移動側カムピン６１，６２が移動側カム溝６３，６４の閉時水平領域６３ａ，６４ａから段差領域６３ｂ，６４ｂにそれぞれ摺動する。この段差領域６３ｂ，６４ｂの深さＤ２は、他の領域の深さＤ１よりも浅いため、扉部材５は、図５−１に示すように、弾性部材９ａ，９ｂによるこの扉部材５に作用する開口部Ｓ１に向かう方向の付勢力に対抗して、搬出方向に移動する。つまり、扉部材５の扉部材側接触面である裏面５１ａが、シャーシ側接触面２８ａおよびケース側接触面３２とから離れ、扉部材５が開口部Ｓ１から離れる。このとき、規制側カム機構７は、規制側カムピン７１，７２が規制側カム溝７３，７４の搬出入方向領域７３ａ，７４ａの一方の端部にそれぞれ位置する。つまり、扉部材５は、規制側カム機構７により、開口部Ｓ１に向かう方向に移動することが規制されていない。【００４８】
次に、トレイ４が搬出方向に移動を開始してから、さらに図示しないトレイ移動手段を駆動する。これにより、メインカム２２は、トレイ移動手段により、幅方向のうち一方向にさらに移動する。また、トラバースメカ２３は、メインカム２２が幅方向のうち一方向にさらに移動することでさらに上昇する。このとき、移動側カム機構６−１は、移動側カムピン６１，６２が移動側カム溝６３，６４の段差領域６３ｂ，６４ｂから傾斜領域６３ｃ，６４ｃにそれぞれ摺動する。この傾斜領域６３ｃ，６４ｃは、他の領域と異なり、駆動部材であるメインカム２２の移動方向、すなわち幅方向に対して傾斜する方向しているため、扉部材５は、図５−１に示すように、回転軸２７ａ，２７ｂを中心とする回転方向のうち一方向、すなわち開口部Ｓ１に対して開閉方向のうち開方向に移動する。これにより、扉部材５は、図５−２に示すように、閉塞していた開口部Ｓ１を開放する。このとき、規制側カム機構７は、規制側カムピン７１，７２が規制側カム溝７３，７４の開閉方向領域７３ｂ，７４ｂにそれぞれ位置する。つまり、扉部材５は、規制側カム機構７により、開閉方向移動時に、開口部Ｓ１に向かう方向に移動することが規制される。従って、扉部材５は、移動規制手段である規制側カム機構７により、扉部材５の開閉方向移動時に、扉部材５が開口部Ｓ１に対して離れた状態を維持したまま、この扉部材５の開閉方向に移動することができる。これにより、この扉部材５が開口部Ｓ１やシャーシ２（ディスク装置本体）の他の部材と接触することを抑制することができる。また、この規制側カム機構７の規制側カムピン７１，７２が扉部材５の開閉方向移動時に通過する開閉方向領域７３ｂ，７４ｂは、この扉部材５の開閉方向に沿って形成されている。従って、扉部材５の開閉方向移動時におけるこの扉部材５の開口部Ｓ１に対する離れた状態は、移動側カム機構６−１ではなく規制側カム機構７により容易に維持することができる。【００４９】
次に、トレイ４は、図示しないトレイ移動手段がさらに駆動することで、開放された開口部Ｓ１を介してディスク再生位置からディスク載置位置まで移動する。このとき、メインカム２２は、トレイ移動手段により、幅方向のうち一方向の端部に位置する。従って、移動側カム機構６−１は、移動側カムピン６１，６２が移動側カム溝６３，６４の傾斜領域６３ｃ，６４ｃから開時水平領域６３ｄ，６４ｄにそれぞれ摺動する。また、規制側カム機構７は、規制側カムピン７１，７２が規制側カム溝７３，７４の開閉方向領域７３ｂ，７４ｂにそれぞれ位置したままとなる。つまり、扉部材５は、移動側カム機構６−１および規制側カム機構７により、開口部Ｓ１を開放した状態を維持する。【００５０】
次に、トレイ４によりディスクを搬入する場合について説明する。まず、トレイ４がディスク載置位置に位置し、扉部材５による開口部Ｓ１の開放状態から、図示しないトレイ移動手段を駆動する。このトレイ移動手段の駆動方向は、上記トレイ４によりディスクを搬出する場合における駆動方向と反対方向である。これにより、トレイ４は、ディスク載置位置から搬入方向に向かって移動を開始する。このとき、メインカム２２は、トレイ移動手段により、幅方向のうち他方向に移動を開始する。また、トラバースメカ２３は、メインカム２２が幅方向のうち他方向に移動を開始することで下降を開始する。このとき、移動側カム機構６−１は、移動側カムピン６１，６２が移動側カム溝６３，６４の開時水平領域６３ｄ，６４ｄから傾斜領域６３ｃ，６４ｃにそれぞれ摺動し、扉部材５は、図５−２に示すように、回転軸２７ａ，２７ｂを中心とする回転方向のうち他方向、すなわち開口部Ｓ１に対して開閉方向のうち閉方向に移動を開始する。また、規制側カム機構７は、規制側カムピン７１，７２が規制側カム溝７３，７４の開閉方向領域７３ｂ，７４ｂにそれぞれ位置したままとなる。つまり、扉部材５は、規制側カム機構７により、開口部Ｓ１に向かう方向に移動することが規制された状態を維持する。【００５１】
次に、トレイ４が搬入方向に移動を開始してから、さらに図示しないトレイ移動手段を駆動する。これにより、メインカム２２は、トレイ移動手段により、幅方向のうち他方向にさらに移動する。また、トラバースメカ２３は、メインカム２２が幅方向のうち他方向にさらに移動することでさらに下降する。このとき、移動側カム機構６−１は、移動側カムピン６１，６２が移動側カム溝６３，６４の傾斜領域６３ｃ，６４ｃから段差領域６３ｂ，６４ｂにそれぞれ摺動する。また、規制側カム機構７は、規制側カムピン７１，７２が規制側カム溝７３，７４の搬出入方向領域７３ａ，７４ａの一方の端部にそれぞれ位置する。つまり、扉部材５は、規制側カム機構７により、開口部Ｓ１に向かう方向に移動することが規制されていない。これにより、扉部材５は、開口部Ｓ１と対向する位置まで移動し、扉部材５の扉部材側接触面である裏面５１ａと、シャーシ側接触面２８ａとケース側接触面３２とが対向する。【００５２】
次に、トレイ４は、図示しないトレイ移動手段がさらに駆動することで、開放された開口部Ｓ１を介してディスク載置位置からディスク再生位置まで移動する。このとき、メインカム２２は、トレイ移動手段により、幅方向のうち他方向の端部に位置する。従って、移動側カム機構６−１は、移動側カムピン６１，６２が移動側カム溝６３，６４の段差領域６３ｂ，６４ｂから閉時水平領域６３ａ，６４ａにそれぞれ摺動する。また、規制側カム機構７は、規制側カムピン７１，７２が規制側カム溝７３，７４の搬出入方向領域７３ａ，７４ａにそれぞれ位置する。従って、扉部材５は、図５−１に示すように、弾性部材９ａ，９ｂによるこの扉部材５に作用する開口部Ｓ１に向かう方向の付勢力により、搬入方向に移動する。そして、扉部材５は、図１−３に示すように、扉部材５の扉部材側接触面である裏面５１ａと、シャーシ側接触面２８ａおよびケース側接触面３２と接触し、扉部材５により開口部Ｓ１を閉塞する。【００５３】
このように、この実施例１にかかるディスク装置１−１では、トレイ４によるディスクの搬出時に、扉部材５は、開口部Ｓ１に対して搬出入方向のうち搬出方向に移動することで、裏面５１ａがシャーシ側接触面２８ａおよびケース側接触面３２と接触していることによってこの扉部材５が閉塞している開口部Ｓ１から離れる。そして、扉部材５は、開閉方向のうち開方向に移動することで、開口部を開放する。一方、トレイ４によるディスクの搬入時に、扉部材５は、開閉方向のうち閉方向に移動することで、裏面５１ａがシャーシ側接触面２８ａおよびケース側接触面３２と対向し、扉部材５が開口部Ｓ１に対向する。そして、扉部材５は、開口部Ｓ１に対して搬出入方向のうち搬入方向に移動することで、裏面５１ａがシャーシ側接触面２８ａおよびケース側接触面３２と接触し、この扉部材５が開口部Ｓ１を閉塞する。従って、扉部材５は、トレイ４によるディスクの搬出入時以外は、開口部Ｓ１と接触した状態を維持する。これにより、シャーシ２とアッパーケース３とで構成されるディスク装置本体内部の防塵を確実に行うことができる。【００５４】
また、この実施例１にかかるディスク装置１−１では、扉部材５が開閉方向に移動する際の中心である回転軸２７ａ，ｂが、シャーシ２に対して厚さ方向の中央部よりも上側に形成されており、この扉部材５の表面５１ｂがこの回転軸２７ａ，２７ｂを中心とする円周上に沿って形成されているため、扉部材５の移動する領域を小さくすることができ、この扉部材５を移動させるためのスペースを小さくすることができる。【００５５】
また、この実施例１かかるディスク装置１−１では、駆動部材であるメインカム２２と扉部材５との間に設けられた移動側カム機構６−１により、この扉部材５の移動、すなわち搬出入方向の移動および開閉方向の移動をすることができる。従って、扉部材５を２方向に移動させるために、新たに部品を必要としないため、部品点数の増加を抑制することができる。また、ディスク装置１−１の小型化を図ることができる。【００５６】
また、この実施例１かかるディスク装置１−１では、トレイ４が搬出方向に移動することで、このトレイ４が扉部材５に接触し、この扉部材５を開方向に移動させるものでない。従って、弾性部材９ａ，９ｂの付勢力がトレイ４の搬出入動作の負荷となることを抑制することができる。【００５７】
なお、この実施例１にかかるディスク装置１−１では、図６−１に示すように、扉部材側接触面である裏面５１ａと、開口部側接触面であるシャーシ側接触面２８ａおよびケース側接触面３２との間に、嵌合手段を設けても良い。なお、図６−１における扉部材５の開口部Ｓと対向する位置（同図２点鎖線）は、実際の位置よりも開口部Ｓ１から離れて図示してある。裏面５１ａ、あるいはシャーシ側接触面２８ａおよびケース側接触面３２のいずれか一方にそれぞれ設けられる凹凸部であり、ここでは裏面５１ａに凸部５７を形成し、開口部側接触面、すなわちシャーシ側接触面２８ａおよびケース側接触面３２にそれぞれ凹部２８ｄ，３３を形成する。なお、この凹部２８ｄ，３３は、連通して形成されている。凹部２８ｄ，３３は、開口部Ｓ１を囲むように形成されている。凸部５７は、開口部Ｓ１を扉部材５により閉塞する際（同図の２点鎖線）に、凹部２８ｄ，３３と対向する位置に形成されている。従って、裏面５１ａが開口部側接触面２８ａおよび開口部側接触面３２と接触し、この扉部材５が開口部Ｓ１を閉塞する際に、凸部５７が凹部２８ｄ，３３に入り込む。従って、扉部材５と開口部Ｓ１との間から粉塵が入り込むことをさらに抑制することができ、シャーシ２とアッパーケース３とで構成されるディスク装置本体内部の防塵をさらに確実に行うことができる。【００５８】
また、この実施例１にかかるディスク装置１−１では、図６−２に示すように、扉部材側接触面である裏面５１ａ、あるいは開口部側接触面であるシャーシ側接触面２８ａおよびケース側接触面３２のいずれか一方に緩衝部材１０を設けても良い。なお、図６−２における扉部材５の開口部Ｓ１と対向する位置（同図２点鎖線）は、実際の位置よりも開口部Ｓ１から離れて図示してある。ここでは、裏面５１ａに、例えば、ゴムや発泡部材などの緩衝部材１０を取り付ける。この緩衝部材１０は、リング状であり、開口部Ｓ１を扉部材５により閉塞する際（同図の２点鎖線）に、開口部Ｓ１を囲むように形成されている。従って、扉部材５が開口部Ｓ１に対向し、扉部材５が開口部Ｓ１に対して搬入方向に移動し、扉部材が開口部を閉塞しようとすると、裏面５１ａの緩衝部材５７が開口部側接触面２８ａおよび開口部側接触面３２と接触する。つまり、緩衝部材１０は、扉部材５および開口部Ｓ１に接触し、この緩衝部材１０が開口部Ｓ１を囲む。これにより、扉部材５と開口部Ｓ１との間から粉塵が入り込むことをさらに抑制することができ、シャーシ２とアッパーケース３とで構成されるディスク装置本体内部の防塵をさらに確実に行うことができる。【００５９】
以上のように、この実施例１にかかるディスク装置１−１は、ディスクの搬出入方向に開口部Ｓ１が形成され、この開口部Ｓ１を介してディスクが搬出入されるディスク装置本体であるシャーシ２およびアッパーケース３と、この開口部Ｓ１に対して搬出入方向に移動自在に、かつ開口部Ｓ１を開閉する開閉方向に移動自在にディスク装置本体であるシャーシ２に支持された扉部材５と、ディスクの搬出動作に連動して、開口部Ｓ１を閉塞している扉部材５を搬出入方向のうち、搬出方向に移動させ、開口部Ｓ１から離れた扉部材５を開閉方向のうち、開口部Ｓ１を開く方向に移動させる扉部材移動手段である移動カム機構６−１とを備えることで、ディスク装置１−１の防塵を確実に行うことができる。
【実施例２】
【００６０】
次に、実施例２にかかるディスク装置１−２について説明する。図７−１および図７−２は、この実施例２にかかるディスク装置の構成例を示す図である。図８−１〜４は、扉部材５の構成例を示す図である。図９−１および図９−２は、この実施例２にかかるディスク装置の動作説明図である。図７−１〜図７−２に示す実施例２にかかるディスク装置１−２が図１−１〜図１−３に示す実施例１にかかるディスク装置１−１と異なる点は、扉部材５が閉塞する開口部がディスク装置本体に形成された開口部ではなく、ディスク装置１−２を収納する電子機器に形成された開口部Ｓ２を閉塞する点である。なお、この実施例２にかかるディスク装置１−２の基本的構成のうち、実施例１にかかるディスク装置１−１の基本的構成と同一部分（図１−１〜図５−２と図７−１〜図９−２において同一符号部分）は、簡略化あるいは省略して説明する。【００６１】
この実施例２にかかるディスク装置１−２は、図７−１および図７−２に示すように、例えばパーソナルコンピュータ、ＤＶＤプレイヤー、ＤＶＤレコーダなどの電子機器１００の内部１１０に収納される。この電子機器１００には、外部と内部１１０とを貫通する開口部Ｓ２が形成されている。ディスク装置１−２は、この開口部Ｓ２を介して、ディスクの搬出入を行うものである。なお、このディスク装置１−２は、電子機器１００に対して、図示しない固定手段、例えばネジなどにより、固定されている。【００６２】
扉部材５は、図８−１〜図８−４に示すように、電子機器１００の開口部Ｓ２の開閉、つまり開口部Ｓ２の開放と開口部Ｓ２の閉塞を行うものである。この扉部材５の表面部５１の外周側面には、つば部５８が形成されている。このつば部５８は、電子機器１００の開口部Ｓ２よりも広く形成されている。つまり、つば部５８の搬出入方向における両面のうち搬出方向側の面（扉部材接触面）が開口部Ｓ２を形成する電子機器１００の内壁面（開口部側接触面）と接触し、扉部材５は、開口部Ｓ２を閉塞することとなる。なお、表面部５１のうち、つば部５８よりも搬出方向側の部分は、機器１００の開口部Ｓ２よりも狭く形成されている。つまり、扉部材５は、開口部Ｓ２を閉塞した際に、この開口部Ｓ２に表面部５１の一部が入り込みことができる。従って、扉部材５により、開口部Ｓ２を閉塞している際に、この開口部Ｓ２に粉塵が堆積することを抑制することができる。【００６３】
移動側カム機構６−２は、扉部材移動手段であり、移動側カムピン６１，６２と、移動側カム溝６５，６６とにより構成されている（図７−１参照）。移動側カムピン６１，６２と、移動側カム溝６５，６６とは、駆動部材であるメインカム２２と扉部材５のそれぞれに個別に形成されるものであり、ここでは移動側カムピン６１，６２がメインカム２２に、移動側カム溝６５，６６が扉部材５にそれぞれ形成されている。移動側カムピン６１，６２は、駆動部材であるメインカム２２の幅方向の移動により、移動側カム溝６５，６６内をそれぞれ往復するものである。【００６４】
また、移動側カム溝６５，６６は、図８−４に示すように、表面部５１の裏面５１ａから表面５１ｂに向かって形成されている。この移動側カム溝６５，６６は、一方の端部から他方の端部に向かって（図８−２の右側から左側）、閉時水平領域６５ａ，６６ａ、段差領域６５ｂ，６６ｂ、傾斜領域６５ｃ，６６ｃ、開時水平領域６５ｄ，６６ｄの順番でそれぞれ隣り合って形成されている。閉時水平領域６５ａ，６６ａは、移動側カム溝６５，６６の一方の端部に位置し、幅方向と平行に形成されている。段差領域６５ｂ，６６ｂは、幅方向と平行に形成されている。この開時水平領域６５ｄ，６６ｄ、傾斜領域６５ｃ，６６ｃおよび段差領域６５ｂ，６６ｂは、表面部５１の裏面５１ｂからの深さＤ４が、開時水平領域６５ｄ，６６ｄにおける表面部５１の裏面５１ｂからの深さＤ３よりも深く設定されている。つまり、この開時水平領域６５ｄ，６６ｄ、傾斜領域６５ｃ，６６ｃおよび段差領域６５ｂ，６６ｂは、移動側カム溝６５，６６の開口面、すなわち表面部５１の裏面５１ｂからの深さが他の領域と異なって形成されている。傾斜領域６５ｃ，６６ｃは、駆動部材であるメインカム２２の移動方向、すなわち幅方向に対して傾斜する方向に形成されている。開時水平領域６５ｄ，６６ｄは、移動側カム溝６５，６６の他方の端部に位置し、幅方向と平行に形成されている。【００６５】
規制側カム機構７は、扉部材５の開閉方向移動時に、この扉部材５が開口部Ｓ２に向かう方向に移動することを規制する移動規制手段であり、規制側カムピン７１，７２と、規制側カム溝７５，７６とにより構成されている（図７−２参照）。規制側カムピン７１，７２と、移動側カム溝７５，７６とは、シャーシ２（ディスク装置本体）と扉部材５のそれぞれに個別に形成されるものであり、ここでは規制側カムピン７１，７２がシャーシ２に、規制側カム溝７５，７６が扉部材５にそれぞれ形成されている。規制側カムピン７１，７２は、移動側カム機構６−２による扉部材５の移動により、規制側カム溝７５，７６内をそれぞれ往復するものである。【００６６】
また、規制側カム溝７５，７６は、図８−３に示すように、搬出入方向領域７５ａ，７６ａおよび開閉方向領域７５ｂ，７６ｂでそれぞれ構成されている。搬出入方向領域７５ａ，７６ａは、搬出入方向と平行に形成されている。この搬出入方向領域７５ａ，７６ａは、開閉方向領域７５ｂ，７６ｂと隣り合い、この搬出入方向領域７５ａ，７６ａの他方の端部、ここでは搬出方向の端部（同図の左側）と、開閉方向領域７５ｂ，７６ｂの一方の端部、ここでは開方向の端部（同図の下側）とが連通している。【００６７】
次に、この実施例２にかかるディスク装置１−２の動作について説明する。まず、トレイ４によりディスクを搬出する場合について説明する。トレイ４によるディスクの搬出の際には、トレイ４がディスク再生位置に位置し、メインカム２２が幅方向のうち他方向の端部に位置する（図２−２参照）。従って、移動側カム機構６−２は、図７−１および図７−２に示すように、移動側カムピン６１，６２が移動側カム溝６５，６６の閉時水平領域６５ａ，６６ａにそれぞれ位置する。この閉時水平領域６５ａ，６６ａの深さＤ３は、段差領域６３ｂ，６４ｂの深さＤ４よりも浅いため、扉部材５は開口部Ｓ２を閉塞する。つまり、扉部材５のつば部５８と、電子機器１００の内壁面が接触した状態となる。このとき、規制側カム機構７は、規制側カムピン７１，７２が規制側カム溝７５，７６の搬出入方向領域７５ａ，７６ａにそれぞれ位置する。つまり、扉部材５は、規制側カム機構７により、開口部Ｓ２に向かう方向に移動することが規制されていない。【００６８】
次に、トレイ４がディスク再生位置に位置した状態から、図示しないトレイ移動手段を駆動する。これにより、トレイ４は、ディスク再生位置から搬出方向に向かって移動を開始する。このとき、メインカム２２は、トレイ移動手段により、幅方向のうち一方向に移動を開始する。また、トラバースメカ２３は、メインカム２２が幅方向のうち一方向に移動を開始することで上昇を開始する。このとき、移動側カム機構６−２は、移動側カムピン６１，６２が移動側カム溝６５，６６の閉時水平領域６５ａ，６６ａから段差領域６５ｂ，６６ｂにそれぞれ摺動する。この段差領域６５ｂ，６６ｂの深さＤ４は、他の領域の深さＤ３よりも深いため、扉部材５は、図９−１に示すように、弾性部材９ａ，９ｂによるこの扉部材５に作用する開口部Ｓ１から離れる方向の付勢力により、搬入方向に移動する。つまり、扉部材５のつば部５８が、電子機器１００の内壁面から離れ、扉部材５が開口部Ｓ２から離れる。このとき、規制側カム機構７は、規制側カムピン７１，７２が規制側カム溝７５，７６の搬出入方向領域７５ａ，７６ａの他方の端部にそれぞれ位置する。つまり、扉部材５は、規制側カム機構７により、開口部Ｓ２に向かう方向に移動することが規制されていない。【００６９】
次に、トレイ４が搬出方向に移動を開始してから、さらに図示しないトレイ移動手段を駆動する。これにより、メインカム２２は、トレイ移動手段により、幅方向のうち一方向にさらに移動する。また、トラバースメカ２３は、メインカム２２が幅方向のうち一方向にさらに移動することでさらに上昇する。このとき、移動側カム機構６−２は、移動側カムピン６１，６２が移動側カム溝６５，６６の段差領域６５ｂ，６６ｂから傾斜領域６５ｃ，６６ｃにそれぞれ摺動する。この傾斜領域６５ｃ，６６ｃは、他の領域と異なり、駆動部材であるメインカム２２の移動方向、すなわち幅方向に対して傾斜する方向しているため、扉部材５は、図９−１に示すように、回転軸２７ａ，２７ｂを中心とする回転方向のうち一方向、すなわち開口部Ｓ２に対して開閉方向のうち開方向に移動する。これにより、扉部材５は、図９−２に示すように、閉塞していた開口部Ｓ２を開放する。このとき、規制側カム機構７は、規制側カムピン７１，７２が規制側カム溝７５，７６の開閉方向領域７５ｂ，７６ｂにそれぞれ位置する。つまり、扉部材５は、規制側カム機構７により、開閉方向移動時に、開口部Ｓ２に向かう方向に移動することが規制される。従って、扉部材５は、移動規制手段である規制側カム機構７により、扉部材５の開閉方向移動時に、扉部材５が開口部Ｓ２に対して離れた状態を維持したまま、この扉部材５の開閉方向に移動することができる。これにより、この扉部材５が開口部Ｓ２やシャーシ２（ディスク装置本体）の他の部材と接触することを抑制することができる。また、この規制側カム機構７の規制側カムピン７１，７２が扉部材５の開閉方向移動時に通過する開閉方向領域７５ｂ，７６ｂは、この扉部材５の開閉方向に沿って形成されている。従って、扉部材５の開閉方向移動時におけるこの扉部材５の開口部Ｓ２に対する離れた状態は、移動側カム機構６−２ではなく規制側カム機構７により容易に維持することができる。【００７０】
次に、トレイ４は、図示しないトレイ移動手段がさらに駆動することで、開放された開口部Ｓ２を介してディスク再生位置からディスク載置位置まで移動する。このとき、メインカム２２は、トレイ移動手段により、幅方向のうち一方向の端部に位置する。従って、移動側カム機構６−２は、移動側カムピン６１，６２が移動側カム溝６５，６６の傾斜領域６５ｃ，６６ｃから開時水平領域６５ｄ，６６ｄにそれぞれ摺動する。また、規制側カム機構７は、規制側カムピン７１，７２が規制側カム溝７５，７６の開閉方向領域７５ｂ，７６ｂにそれぞれ位置したままとなる。つまり、扉部材５は、移動側カム機構６−２および規制側カム機構７により、開口部Ｓ２を開放した状態を維持する。【００７１】
次に、トレイ４によりディスクを搬入する場合について説明する。まず、トレイ４がディスク載置位置に位置し、扉部材５による開口部Ｓ２の開放状態から、図示しないトレイ移動手段を駆動する。このトレイ移動手段の駆動方向は、上記トレイ４によりディスクを搬出する場合における駆動方向と反対方向である。これにより、トレイ４は、ディスク載置位置から搬入方向に向かって移動を開始する。このとき、メインカム２２は、トレイ移動手段により、幅方向のうち他方向に移動を開始する。また、トラバースメカ２３は、メインカム２２が幅方向のうち他方向に移動を開始することで下降を開始する。このとき、移動側カム機構６−２は、移動側カムピン６１，６２が移動側カム溝６５，６６の開時水平領域６５ｄ，６６ｄから傾斜領域６５ｃ，６６ｃにそれぞれ摺動し、扉部材５は、図９−２に示すように、回転軸２７ａ，２７ｂを中心とする回転方向のうち他方向、すなわち開口部Ｓ２に対して開閉方向のうち閉方向に移動を開始する。また、規制側カム機構７は、規制側カムピン７１，７２が規制側カム溝７５，７６の開閉方向領域７５ｂ，７６ｂにそれぞれ位置したままとなる。つまり、扉部材５は、規制側カム機構７により、開口部Ｓ２に向かう方向に移動することが規制された状態を維持する。【００７２】
次に、トレイ４が搬入方向に移動を開始してから、さらに図示しないトレイ移動手段を駆動する。これにより、メインカム２２は、トレイ移動手段により、幅方向のうち他方向にさらに移動する。また、トラバースメカ２３は、メインカム２２が幅方向のうち他方向にさらに移動することでさらに下降する。このとき、移動側カム機構６−２は、移動側カムピン６１，６２が移動側カム溝６５，６６の傾斜領域６５ｃ，６６ｃから段差領域６５ｂ，６６ｂにそれぞれ摺動する。また、規制側カム機構７は、規制側カムピン７１，７２が規制側カム溝７５，７６の搬出入方向領域７５ａ，７６ａの他方の端部にそれぞれ位置する。つまり、扉部材５は、規制側カム機構７により、開口部Ｓ２に向かう方向に移動することが規制されていない。これにより、扉部材５は、開口部Ｓ２と対向する位置まで移動し、扉部材５のつば部５８と、電子機器１００の内壁面とが対向する。【００７３】
次に、トレイ４は、図示しないトレイ移動手段がさらに駆動することで、開放された開口部Ｓ２を介してディスク載置位置からディスク再生位置まで移動する。このとき、メインカム２２は、トレイ移動手段により、幅方向のうち他方向の端部に位置する。従って、移動側カム機構６−２は、移動側カムピン６１，６２が移動側カム溝６５，６６の段差領域６５ｂ，６６ｂから閉時水平領域６５ａ，６６ａにそれぞれ摺動する。また、規制側カム機構７は、規制側カムピン７１，７２が規制側カム溝７５，７６の搬出入方向領域７５ａ，７６ａにそれぞれ位置する。従って、扉部材５は、図９−１に示すように、弾性部材９ａ，９ｂによるこの扉部材５に作用する開口部Ｓ２から離れる方向の付勢力に対抗して、搬入方向に移動する。そして、扉部材５は、図７−２に示すように、扉部材５のつば部５８と、電子機器１００の内壁面と接触し、扉部材５により開口部Ｓ２を閉塞する。【００７４】
このように、この実施例２にかかるディスク装置１−２では、トレイ４によるディスクの搬出時に、扉部材５は、つば部５８が内壁面に接触している電子機器１００に形成された開口部Ｓ２に対して搬出入方向のうち搬入方向に移動することで、つば部５８がこの内壁面で接触することによってこの扉部材５が閉塞している開口部Ｓ２から離れる。そして、扉部材５は、開閉方向のうち開方向に移動することで、開口部Ｓ２を開放する。一方、トレイ４によるディスクの搬入時に、扉部材５は、開閉方向のうち閉方向に移動することで、つば部５８がこの内壁面と対向し、扉部材５が開口部Ｓ２に対向する。そして、扉部材５は、開口部Ｓ２に対して搬出入方向のうち搬出方向に移動することで、つば部５８が内壁面と接触し、この扉部材５が開口部Ｓ２を閉塞する。従って、扉部材５は、トレイ４によるディスクの搬出入時以外は、開口部Ｓ２と接触した状態を維持する。これにより、ディスク装置１−２のみならず、このディスク装置１−２を収納する電子機器１００内部の防塵を確実に行うことができる。【００７５】
また、この実施例２にかかるディスク装置１−２では、上記実施例１と同様に、この扉部材５を移動させるためのスペースを小さくすることができる。また、扉部材５を２方向に移動させるために、新たに部品を必要としないため、部品点数の増加を抑制することができる。また、ディスク装置１−２の小型化を図ることができる。また、弾性部材９ａ，９ｂの付勢力がトレイ４の搬出入動作の負荷となることを抑制することができる。【００７６】
なお、この実施例２にかかるディスク装置１−２おいても、上記実施例１と同様に、扉部材側接触面であるつば部５８の搬出方向側の面と、開口部側接触面である電子機器１００の内壁面との間に、嵌合手段を設けても良い。また、扉部材側接触面であるつば部５８の搬出方向側の面、あるいは開口部側接触面である電子機器１００の内壁面のいずれか一方に緩衝部材を設けても良い。【００７７】
以上のように、この実施例２にかかるディスク装置１−２は、ディスクが搬出入されるディスク装置本体であるシャーシ２およびアッパーケース３と、このディスク装置本体が収納される電子機器１００に形成された開口部Ｓ２に対して搬出入方向に移動自在に、かつ開口部Ｓ２を開閉する開閉方向に移動自在にディスク装置本体であるシャーシ２に支持された扉部材５と、ディスクの搬出動作に連動して、開口部Ｓ２を閉塞している扉部材５を搬出入方向のうち、搬入方向に移動させ、開口部Ｓ２から離れた扉部材５を開閉方向のうち、開口部Ｓ２を開く方向に移動させる扉部材移動手段である移動カム機構６−２とを備えることで、ディスク装置１−２のみならず電子機器１００の防塵を確実に行うことができる。【００７８】
なお、上記実施例１および２では、移動規制手段である規制側カム機構７により、扉部材５の開閉方向移動時にこの扉部材５が開口部Ｓ２に向かう方向に移動することを規制するがこの発明はこれに限定されるものではない。例えば、移動側カム機構６−１，２を移動規制手段としても良い。この場合は、移動側カム溝６３〜６６の傾斜領域６３ｃ，６４ｃ，６５ｃ，６６ｃ、開時水平領域６３ｄ，６４ｄ，６５ｄ，６６ｄの深さＤ１，Ｄ３を段差領域６３ｂ，６４ｂ，６５ｂ，６６ｂの深さＤ２，Ｄ４と同じ深さにする。これにより、移動側カムピン６１，６２が傾斜領域６３ｃ，６４ｃ，６５ｃ，６６ｃおよび開時水平領域６３ｄ，６４ｄ，６５ｄ，６６ｄを摺動する際に、扉部材５が開口部Ｓ１，Ｓ２に対して離れた状態を維持したまま、この扉部材５を開閉方向に移動することができる。
【産業上の利用可能性】
【００７９】
以上のように、この発明にかかるディスク装置は、ディスクの搬出入動作に連動して、開閉する扉部材を備えるディスク装置に有用であり、特に、確実に防塵を行うのに適している。
【図１−１】
2007066734.tif 000003
【図１−２】
2007066734.tif 000004
【図１−３】
2007066734.tif 000005
【図２−１】
2007066734.tif 000006
【図２−２】
2007066734.tif 000007
【図３−１】
2007066734.tif 000008
【図３−２】
2007066734.tif 000009
【図４−１】
2007066734.tif 000010
【図４−２】
2007066734.tif 000011
【図４−３】
2007066734.tif 000012
【図４−４】
2007066734.tif 000013
【図５−１】
2007066734.tif 000014
【図５−２】
2007066734.tif 000015
【図６−１】
2007066734.tif 000016
【図６−２】
2007066734.tif 000017
【図７−１】
2007066734.tif 000018
【図７−２】
2007066734.tif 000019
【図８−１】
2007066734.tif 000020
【図８−２】
2007066734.tif 000021
【図８−３】
2007066734.tif 000022
【図８−４】
2007066734.tif 000023
【図９−１】
2007066734.tif 000024
【図９−２】
2007066734.tif 000025
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
ディスクの搬出入方向に開口部（Ｓ１）が形成され、当該開口部（Ｓ１）を介して当該ディスクが搬出入されるディスク装置本体（２，３）と、
前記開口部（Ｓ１）に対して搬出入方向に移動自在に、かつ当該開口部（Ｓ１）を開閉する開閉方向に移動自在に前記ディスク装置本体（２，３）に支持された扉部材（５）と、
前記ディスクの搬出動作に連動して、前記開口部（Ｓ１）を閉塞している扉部材（５）を前記搬出入方向のうち、搬出方向に移動させ、当該開口部（Ｓ１）から離れた扉部材（５）を前記開閉方向のうち、当該開口部（Ｓ１）を開く方向に移動させる扉部材移動手段（６−１）と、
前記ディスク装置本体（２，３）内に一方向に移動自在に支持され、前記ディスクの搬出入動作に連動して移動する駆動部材（２２）と、
を備え、
前記扉部材移動手段（６−１；６−２）は、少なくとも前記駆動部材（２２）および前記扉部材（５）のそれぞれに別個に形成される移動側カムピン（６１，６２）および移動側カム溝（６３，６４；６５，６６）とからなる移動側カム機構を有し、
前記移動側カムピン（６１，６２）は、前記駆動部材（２２）の移動により前記移動側カム溝（６３，６４；６５，６６）内を往復し、
前記移動側カム溝（６３，６４；６５，６６）は、少なくとも、前記移動側カム溝（６３，６４；６５，６６）の開口面からの深さが他の領域と異なって形成され、前記移動側カムピン（６１，６２）が通過することで、前記開口部（Ｓ１；Ｓ２）に接触している扉部材（５）を前記搬出入方向に移動する段差領域（６３ｂ，６４ｂ；６５ｂ，６５ｂ）と、当該段差領域（６３ｂ，６４ｂ；６５ｂ，６５ｂ）と隣り合い、前記駆動部材（２２）の移動方向に対して傾斜する方向に形成され、前記移動側カムピン（６１，６２）が通過することで、前記開口部（Ｓ１；Ｓ２）から離れている扉部材（５）を前記開閉方向に移動する傾斜領域（６３ｃ，６４ｃ；６５ｃ，６５ｃ）とを有することを特徴とするディスク装置（１−１）。
【請求項２】
ディスクが搬出入されるディスク装置本体（２，３）と、
ディスク装置本体（２，３）が収納される電子機器に形成された開口部（Ｓ２）に対して搬出入方向に移動自在に、かつ当該開口部（Ｓ２）を開閉する開閉方向に移動自在に前記ディスク装置本体（２，３）に支持された扉部材（５）と、
前記ディスクの搬出動作に連動して、前記開口部（Ｓ２）を閉塞している扉部材（５）を前記搬出入方向のうち、搬入方向に移動させ、当該開口部（Ｓ２）から離れた扉部材（５）を前記開閉方向のうち、当該開口部（Ｓ１）を開く方向に移動させる扉部材移動手段（６−２）と、
前記ディスク装置本体（２，３）内に一方向に移動自在に支持され、前記ディスクの搬出入動作に連動して移動する駆動部材（２２）と、
を備え、
前記扉部材移動手段（６−１；６−２）は、少なくとも前記駆動部材（２２）および前記扉部材（５）のそれぞれに別個に形成される移動側カムピン（６１，６２）および移動側カム溝（６３，６４；６５，６６）とからなる移動側カム機構を有し、
前記移動側カムピン（６１，６２）は、前記駆動部材（２２）の移動により前記移動側カム溝（６３，６４；６５，６６）内を往復し、
前記移動側カム溝（６３，６４；６５，６６）は、少なくとも、前記移動側カム溝（６３，６４；６５，６６）の開口面からの深さが他の領域と異なって形成され、前記移動側カムピン（６１，６２）が通過することで、前記開口部（Ｓ１；Ｓ２）に接触している扉部材（５）を前記搬出入方向に移動する段差領域（６３ｂ，６４ｂ；６５ｂ，６５ｂ）と、当該段差領域（６３ｂ，６４ｂ；６５ｂ，６５ｂ）と隣り合い、前記駆動部材（２２）の移動方向に対して傾斜する方向に形成され、前記移動側カムピン（６１，６２）が通過することで、前記開口部（Ｓ１；Ｓ２）から離れている扉部材（５）を前記開閉方向に移動する傾斜領域（６３ｃ，６４ｃ；６５ｃ，６５ｃ）とを有することを特徴とするディスク装置（１−２）。
【請求項３】
（削除）
【請求項４】
前記扉部移動手段（６−１；６−２）は、前記扉部材（５）の開閉方向移動時に当該扉部材（５）が前記開口部（Ｓ１；Ｓ２）に向かう方向に移動することを規制する移動規制手段（７）をさらに備えることを特徴とする請求項１または２に記載のディスク装置（１−１；１−２）。
【請求項５】
前記扉部材（５）の前記開口部（Ｓ１；Ｓ２）を閉塞する扉部材側接触面（５１ａ）と、当該開口部（Ｓ１；Ｓ２）を閉塞する際に、扉部材側接触面（５１ａ）と対向する開口部側接触面（２８ａ，３２）との間に、前記扉部材側接触面（５１ａ）と前記開口部側接触面（２８ａ，３２）とが接触した際に、一方が他方に入り込み当該開口部（Ｓ１；Ｓ２）を囲む嵌合手段（５７，２８ｄ，３３）が設けられていることを特徴とする請求項１、２、４のいずれか１つに記載のディスク装置（１−１；１−２）。
【請求項６】
前記扉部材（５）の前記開口部（Ｓ１；Ｓ２）を閉塞する扉部材側接触面（５１ａ）、あるいは当該開口部（Ｓ１；Ｓ２）を閉塞する際に、扉部材側接触面（５１ａ）と対向する開口部側接触面（２８ａ，３２）のいずれか一方に、当該扉部材側接触面（５１ａ）および当該開口部側接触面（２８ａ，３２）に接触した際に、当該開口部（Ｓ１；Ｓ２）を囲む緩衝部材（１０）が設けられていることを特徴とする請求項１、２、４のいずれか１つに記載のディスク装置（１−１；１−２）。
【手続補正２】
【補正対象書類名】明細書
【補正対象項目名】０００２
【補正方法】変更
【補正の内容】
【０００２】
ら粉塵が入り込むことを抑制することができる。
［０００５］
特許文献１：特開平１０−２０８３４７号公報
発明の開示
発明が解決しようとする課題
［０００６］
しかしながら、上記特許文献１に示すようなディスク装置では、扉部材が開口部に対して、平行に移動するため、この扉部材が開口部と対向する位置に位置しても、扉部材と開口部との間に隙間が形成される。また、従来のディスク装置には、扉部材が回転自在に支持されており、回転方向に揺動することで、ディスク装置本体の開口部の開閉を行うものである。この場合も、扉部材が揺動する際にこの扉部材と開口部とが接触するのを防止するために、扉部材と開口部との間に隙間が形成される。従って、扉部材と開口部との間に隙間が形成されるため、防塵が不十分であるという問題があった。
［０００７］
この発明は、上述した課題をその一例として解決するものであって、確実に防塵を行うことができるディスク装置を提供することを目標とする。
課題を解決するための手段
［０００８］
本発明の請求項１に記載のディスク装置は、ディスクの搬出入方向に開口部が形成され、当該開口部を介して当該ディスクが搬出入されるディスク装置本体と、前記開口部に対して搬出入方向に移動自在に、かつ当該開口部を開閉する開閉方向に移動自在に前記ディスク装置本体に支持された扉部材と、前記ディスクの搬出動作に連動して、前記開口部を閉塞している扉部材を前記搬出入方向のうち、搬出方向に移動させ、当該開口部から離れた扉部材を前記開閉方向のうち、当該開口部を開く方向に移動させる扉部材移動手段と、前記ディスク装置本体内に一方向に移動自在に支持され、前記ディスクの搬出入動作に連動して移動する駆動部材と、を備え、前記扉部材移動手段は、少なくとも前記駆動部材および前記扉部材のそれぞれに別個に形成される移動側カムピンおよび移動側カム溝とからなる移動側カム機構を有し、前記移動側カムピンは、前記駆動部材の移動により前記移動側カム溝内を往復し、前記移動側カム溝は、少なくとも、前記移動側カム溝の開口面からの深さが他の領域と異なって形成され、前記移動側カムピンが通過することで、前記開口部に接触している扉部材を前記搬出入方向に移動する段差領域と、当該段差領域と隣り合い、前記駆動部材の移動方向に対して傾斜する方向に形成され、前記移動側カムピンが通過することで、前記開口部から離れている扉部材を前記開閉方向に移動する傾斜領域とを有することを特徴とする。
［０００９］
また、本発明の請求項２に記載のディスク装置は、ディスクが搬出入されるディスク装置本体と、ディスク装置本体が収納される電子機器に形成された開口部に対して搬出入方向に移動自在に、かつ当該開口部を開閉する開閉方向に移動自在に前記ディスク装置本体に支持された扉部材と、前記ディスクの搬出動作に連動して、前記開口部を閉塞している扉部材を前記搬出入方向のうち、搬入方向に移動させ、当該開口部から離れた扉部材を前記開閉方向のうち、当該開口部を開く方向に移動さ
【手続補正３】
【補正対象書類名】明細書
【補正対象項目名】０００３
【補正方法】変更
【補正の内容】
【０００３】
せる扉部材移動手段と、前記ディスク装置本体内に一方向に移動自在に支持され、前記ディスクの搬出入動作に連動して移動する駆動部材と、を備え、前記扉部材移動手段は、少なくとも前記駆動部材および前記扉部材のそれぞれに別個に形成される移動側カムピンおよび移動側カム溝とからなる移動側カム機構を有し、前記移動側カムピンは、前記駆動部材の移動により前記移動側カム溝内を往復し、前記移動側カム溝は、少なくとも、前記移動側カム溝の開口面からの深さが他の領域と異なって形成され、前記移動側カムピンが通過することで、前記開口部に接触している扉部材を前記搬出入方向に移動する段差領域と、当該段差領域と隣り合い、前記駆動部材の移動方向に対して傾斜する方向に形成され、前記移動側カムピンが通過することで、前記開口部から離れている扉部材を前記開閉方向に移動する傾斜領域とを有することを特徴とする。
発明の効果
［００１０］
本発明にかかるディスク装置は、確実に防塵を行うことができるという効果を奏する。
図面の簡単な説明
［００１１］
［図１−１］図１−１は、この実施例１にかかるディスク装置の構成例を示す図（平面図）である。
［図１−２］図１−２は、この実施例１にかかるディスク装置の構成例を示す図（正面図）である。
［図１−３］図１−３は、この実施例１にかかるディスク装置の構成例を示す図（側面図）である。
［図２−１］図２−１は、シャーシおよびアッパーケースの構成例を示す図（平面図）である。
［図２−２］図２−２は、シャーシおよびアッパーケースの構成例を示す図（正面図）である。
［図３−１］図３−１は、トレイの構成例を示す図（平面図）である。
［図３−２］図３−２は、トレイの構成例を示す図（正面図）である。
［図４−１］図４−１は、扉部材の構成例を示す図（平面図）である。
［図４−２］図４−２は、扉部材の構成例を示す図（正面図）である。
［図４−３］図４−３は、扉部材の構成例を示す図（側面図）である。
［図４−４］図４−４は、図４−２のＡ−Ａ断面図である。
［図５−１］図５−１は、この実施例１にかかるディスク装置の動作説明図である。
［図５−２］図５−２は、この実施例１にかかるディスク装置の動作説明図である。
［図６−１］図６−１は、この実施例１にかかるディスク装置の他の構成例を示す図である。
［図６−２］図６−２は、この実施例１にかかるディスク装置の他の構成例を示す図である。
［図７−１］図７−１は、この実施例２にかかるディスク装置の構成例を示す図（正面図）
【国際調査報告】
2007066734.tif 000026
2007066734.tif 000027
2007066734.tif 000028
2007066734.tif 000029